(57)【要約】  本開示は、多岐にわたる個人輸送装置を固定するための、高セキュリティの個人化されたロック装置を提供する。明細書に開示される個人化されたロック装置は、特定のユーザーに合わせて鍵設定されたロック機構を提供することができる。例えば、ロック機構は、ユーザーの生体情報署名（例えば、指紋、掌紋、網膜像、音声認識等）に合わせて鍵設定することができる。本明細書に開示される個人化されたロック装置は、輸送が容易であり、使用が容易である。本明細書に開示される個人化されたロック装置は、ユーザーの個人輸送装置（例えば、オートバイ、モペッド、セグウェイ、自転車、キックスケーター、スケートボード等）を、盗難防止の目的で外部構造（例えば、バイクラック、固定ポスト等）にしっかりと固定するように構成することができる。
2021522427.tif 000002
【特許請求の範囲】
【請求項１】
開口部を有する締め付け頭部と、
第１の端部および第２の端部を有する本体と、
固定リングと、
を備え、
前記締め付け頭部は、少なくとも１つのヒンジによって前記本体の前記第１の端部に回転可能に接続され、前記固定リングは、前記本体の前記第２の端部に接続され、閉位置と開位置との間で動くように構成される、ロック装置。
【請求項２】
前記ヒンジは、前記本体に垂直な軸において前記締め付け頭部が約１８０°動くことを可能にするように構成される、請求項１に記載のロック装置。
【請求項３】
前記少なくとも１つのヒンジは、第１のヒンジ端、第２のヒンジ端、および嵌合部を有する、請求項１に記載のロック装置。
【請求項４】
前記嵌合部は、前記締め付け頭部において嵌合ドックと嵌合するように構成される、請求項３に記載のロック装置。
【請求項５】
前記固定リングは、装着端および遠位端を有する第１のアームと、接続端および遠位端を有する第２のアームとを有し、前記固定リングがロック位置にあるとき、前記第１のアームの前記遠位端は前記第２のアームの前記遠位端に当接する、請求項１に記載のロック装置。
【請求項６】
前記本体は、生体情報リーダおよび検出センサを備える、請求項１に記載のロック装置。
【請求項７】
前記生体情報リーダは、所定の生体情報同一性を識別すると、前記固定リングを開くように構成される、請求項６に記載のロック装置。
【請求項８】
前記検出センサは、ロック面を検出すると、前記固定リングを閉じるように構成される、請求項６に記載のロック装置。
【請求項９】
前記ロック面は、バイクラック、支柱、レール、ポスト、フェンスおよびリングからなる群から選択される、請求項８に記載のロック装置。
【請求項１０】
前記本体は、充電ポートおよび電源を含む、請求項１に記載のロック装置。
【請求項１１】
前記充電ポートは、ソーラーパネル、、またはＵＳＢ−Ｃポート、またはＡＣポート、またはＤＣポートである、請求項１０に記載のロック装置。
【請求項１２】
前記本体は、前記固定リングを開閉するように構成された制御ユニットを含む、請求項１に記載のロック装置。
【請求項１３】
前記本体はワイヤレス通信装置を含む、請求項１に記載のロック装置。
【請求項１４】
前記ワイヤレス通信装置は、Ｗｉ−ＦｉまたはＢｌｕｅｔｏｏｔｈからなる群から選択される、請求項１３に記載のロック装置。
【請求項１５】
前記ワイヤレス通信装置は、制御ユニットと電子通信するように構成される、請求項１４に記載のロック装置。
【請求項１６】
前記ワイヤレス通信装置は、スマートフォン、タブレット、ウェアラブルコンピューティング装置およびラップトップからなる群から選択された個人用装置と通信するように構成される、請求項１５に記載のロック装置。
【請求項１７】
個人輸送装置を固定する方法であって、
ロック装置の締め付け頭部を前記個人輸送装置に取り付けるステップと、
前記ロック装置の固定リングを開くために、前記ロック装置を無効化するステップと、
前記開いた固定リングをロック面の周りに配置するステップと、
留める物体の周りで前記固定リングを閉じるために、前記ロック装置を有効化するステップであって、それによって前記個人輸送装置を前記ロック面に固定する、有効化するステップと
を含む、方法。
【請求項１８】
前記ロック装置は、第１の端部および第２の端部を有する本体を備え、前記締め付け頭部は、少なくとも１つのヒンジによって前記本体の前記第１の端部に回転可能に接続され、前記固定リングは、前記本体の前記第２の端部に接続され、閉位置と開位置との間で動くように構成される、請求項１７に記載の方法。
【請求項１９】
前記有効化するステップおよび前記無効化するステップは生体情報リーダによって開始される、請求項１６に記載の方法。
【請求項２０】
ロックシステムであって、
ロック装置を備え、前記ロック装置は、
開口部を有する締め付け頭部と、
第１の端部および第２の端部を有する本体と、
固定リングであって、前記締め付け頭部は、少なくとも１つのヒンジによって前記本体の前記第１の端部に回転可能に接続され、前記固定リングは、前記本体の前記第２の端部に接続され、閉位置と開位置との間で動くように構成される、固定リングと、
ネットワークにおいて通信するための１つまたは複数のネットワークインターフェースと、
前記ネットワークインターフェースおよび前記ロック装置に結合され、１つまたは複数のプロセスを実行するように適合されたプロセッサと、
前記プロセッサによって実行可能なプロセスを記憶するように構成されたメモリであって、前記プロセスは、実行されると、
前記ロック装置を無効化して、前記ロック装置の前記固定リングを開き、
前記ロック装置を有効化して、前記固定リングを閉じる、
ように動作可能である、メモリと、
を備える、ロックシステム。
【発明の詳細な説明】
【技術分野】
【０００１】
［関連出願の相互参照］
本出願は、２０１８年４月１９日に出願された米国仮特許出願第６２／６５９，８８６号、および２０１８年４月１９日に出願された米国意匠出願第２９／６４４，６６３号の米国特許法第１１９条（ｅ）の下での優先権の利益を主張する国際特許出願である。これらの特許出願の内容全体が参照により本明細書に援用される。
【０００２】
本開示はロック装置に関する。より詳細には、本開示は、個人輸送装置のための高セキュリティの個人化されたロック装置に関する。
【背景技術】
【０００３】
近年、低コストで効率的な個人輸送を提供する、例えば、オートバイ、モペッド、セグウェイ、自転車およびキックスケーター等の個人輸送装置の使用が増大している。そのような個人輸送装置は、交通渋滞および駐車問題を低減するため有利であり、温室効果ガスの排出の低減にも寄与する。不都合なことに、そのような個人輸送装置は盗難に遭いやすい。例えば、自転車の盗難は、人口密度の高い都市において一般的に起こる犯罪である。毎年世界中で１５０万台を超える自転車が盗まれていることが推定され、これは、約３億〜４億５０００万ドルの盗品と同等である。多くの場合、自転車盗難は、自転車がロックされていないままであるか、不適切にロックされているか、または軽量ケーブルロックもしくは低コストのＵ字ロック装置等の低品質のセキュリティ装置でロックされていることによって促進される場合がある。したがって、輸送が容易で使用が容易な高セキュリティで個人化されたロック装置が緊急に必要とされている。
【発明の概要】
【０００４】
１つの態様において、本開示は、開口部を有する締め付け頭部と、第１の端部および第２の端部を有する本体と、固定リングとを備えるロック装置を提供する。締め付け頭部は、少なくとも１つのヒンジによって本体の第１の端部に回転可能に接続され、固定リングは、本体の第２の端部に接続され、閉位置と開位置との間で動くように構成される。
【０００５】
実施形態において、ヒンジは、本体に垂直な軸において締め付け頭部が約１８０°動くことを可能にするように構成される。
【０００６】
実施形態において、少なくとも１つのヒンジは、第１のヒンジ端、第２のヒンジ端、および嵌合部を有する。
【０００７】
実施形態において、嵌合部は、締め付け頭部において嵌合ドックと嵌合するように構成される。
【０００８】
実施形態において、固定リングは、装着端および遠位端を有する第１のアームと、接続端および遠位端を有する第２のアームとを有し、固定リングがロック位置にあるとき、第１のアームの遠位端は第２のアームの遠位端に当接する。
【０００９】
実施形態において、本体は、生体情報リーダおよび検出センサを備える。
【００１０】
実施形態において、生体情報リーダは、所定の生体情報同一性を識別すると、固定リングを開くように構成される
【００１１】
実施形態において、検出センサは、ロック面を検出すると、固定リングを閉じるように構成される。
【００１２】
実施形態において、ロック面は、バイクラック、支柱、レール、ポスト、フェンスおよびリングからなる群から選択される。
【００１３】
実施形態において、本体は、充電ポートおよび電源を含む。
【００１４】
実施形態において、充電ポートは、ソーラーパネルまたはＵＳＢ−ＣポートまたはＡＣポートまたはＤＣポートである。
【００１５】
実施形態において、本体は、固定リングを開閉するように構成された制御ユニットを含む。
【００１６】
実施形態において、本体はワイヤレス通信装置を含む。
【００１７】
実施形態において、ワイヤレス通信装置は、Ｗｉ−ＦｉまたはＢｌｕｅｔｏｏｔｈからなる群から選択される。
【００１８】
実施形態において、ワイヤレス通信装置は、制御ユニットと電子通信するように構成される。
【００１９】
実施形態において、ワイヤレス通信装置は、スマートフォン、タブレット、ウェアラブルコンピューティング装置およびラップトップからなる群から選択された個人用装置と通信するように構成される。
【００２０】
一態様において、本開示は、個人輸送装置を固定する方法であって、ロック装置の締め付け頭部を個人輸送装置に取り付けるステップと、ロック装置の固定リングを開くために、ロック装置を無効化するステップと、開いた固定リングをロック面の周りに配置するステップと、して、留める物体の周りで固定リングを閉じるために、ロック装置を有効化するステップと、それによって個人輸送装置をロック面に固定する、有効化するステップとを含む方法を提供する。
【００２１】
実施形態において、ロック装置は、第１の端部および第２の端部を有する本体を備え、締め付け頭部は、少なくとも１つのヒンジによって本体の第１の端部に回転可能に接続され、固定リングは、本体の第２の端部に接続され、閉位置と開位置との間で動くように構成される。
【００２２】
実施形態において、有効化するステップおよび無効化するステップは生体情報リーダによって開始される。
【００２３】
一態様において、本開示はロックシステムを提供し、ロックシステムはロック装置を備え、ロック装置は、開口部を有する締め付け頭部と、第１の端部および第２の端部を有する本体と、固定リングであって、締め付け頭部は、少なくとも１つのヒンジによって本体の第１の端部に回転可能に接続され、固定リングは、本体の第２の端部に接続され、閉位置と開位置との間で動くように構成される、固定リングと、ネットワークにおいて通信するための１つまたは複数のネットワークインターフェースと、ネットワークインターフェースおよびロック装置に結合され、１つまたは複数のプロセスを実行するように適合されたプロセッサと、プロセッサによって実行可能なプロセスを記憶するように構成されたメモリであって、プロセスは、実行されると、ロック装置を無効化して、ロック装置の固定リングを開き、ロック装置を有効化して、固定リングを閉じるように動作可能である、メモリとを備える。
【００２４】
適用可能な場合、または特に否定されていない場合、本明細書に記載の実施形態のうちの任意のものは、任意の他の１つまたは複数の実施形態が本開示の異なる態様の下で記載されている場合であっても、それらの実施形態と組み合わせることができることが予期される。
【００２５】
これらの実施形態および他の実施形態は、以下の詳細な説明によって開示および／または包含される。
【００２６】
例として与えられるが、本開示を説明される特定の実施形態のみに限定することは意図されていない以下の詳細な説明は、添付の図面と併せて最も良好に理解することができる。
【図面の簡単な説明】
【００２７】
【図１】本開示の例示的な実施形態によるロック装置の上面斜視図である。
【図２】本開示の例示的な実施形態によるロック装置の底面図である。
【図３】本開示の例示的な実施形態によるロック装置の分解図である。
【図４】本開示の例示的な実施形態によるロック装置の断面図である。
【図５】本開示の例示的な実施形態による、ロック位置におけるロック装置の斜視図である。
【図６】本開示の例示的な実施形態による、開位置におけるロック装置の斜視図である。
【図７】本開示の更なる例示的な実施形態による、ロック位置におけるロック装置の斜視図である。
【図８】本開示の更なる例示的な実施形態による、開位置におけるロック装置の斜視図である。
【図９】本開示の例示的な実施形態による、自転車に装着されたロック装置の写真である。
【図１０】本開示の例示的な実施形態による、キックスケーターを収納ラックにロックするのに用いられるロック装置の写真である。
【発明を実施するための形態】
【００２８】
本開示は、多岐にわたる個人輸送装置を固定するための、高セキュリティの個人化されたロック装置を提供する。有利には、本明細書に開示される個人化されたロック装置は、特定のユーザーに合わせて鍵設定されたロック機構を提供することができる。例えば、ロック機構は、ユーザーの生体情報署名（例えば、指紋、掌紋、網膜像、音声認識等）に合わせて鍵設定することができる。本明細書に開示される個人化されたロック装置は、輸送が容易であり、使用が容易である。本明細書に開示される個人化されたロック装置は、ユーザーの個人輸送装置を、盗難防止の目的で外部構造（例えば、バイクラック、固定ポスト等）にしっかりと固定するように構成することができる。本明細書に記載のロック装置を、限定ではないが、オートバイ、モペッド、セグウェイ、三輪車、自転車、一輪車、キックスケーター、スケートボード等を含むことができる多岐にわたる個人輸送装置を固定するように構成することができることが本開示の範囲内で予期される。
【００２９】
ここで、本開示の例示的な実施形態を詳細に参照する。本開示は例示的な実施形態と併せて説明されるが、本開示をこれらの実施形態に限定することは意図されていないことが理解されよう。逆に、添付の特許請求の範囲によって規定される本開示の趣旨および範囲内に含めることができる代替形態、変更形態および等価物を包含することが意図される。
【００３０】
図１は、本開示の例示的な実施形態によるロック装置１００の上面斜視図を示す。ロック装置１００は、第１の端部１０１および第２の端部１０２を備えるハウジング１１４を有する本体１１０と、凹部１０９と、締め付け頭部１２０と、固定リング１３０と、検出センサ１３４とを備える。
【００３１】
締め付け頭部１２０は、締め付け通路１２２および締め付け接続端１２４と備える。締め付け通路１２２は、（例えば、クロスバー、垂直材、車輪等に取り付けることによって）締め付け頭部１２０を個人輸送装置に固定的にまたは取り外し可能に取り付けるように構成することができる。締め付け頭部１２０は、ヒンジ１１５を介してロック装置１００の本体１１０の第１の端部１０１に取り付けるように構成することができる。
【００３２】
本体１１０の上面に位置する凹部１０９は、例えば、生体情報リーダ１１２および充電ポート１１３等の１つまたは複数のユーザーがアクセス可能なインターフェース構造を収容するように構成することができる。他の例示的なインターフェース構造は、限定ではないが、パニックアラーム、ＧＰＳ追跡装置、ワイヤレスおよび／またはセルラー通信装置、Ｂｌｕｅｔｏｏｔｈ通信装置またはモジュール、ＵＳＢポート、データリンクポート等を含むことができる。生体情報リーダ１１２は、例えば、指紋、掌紋、網膜紋、声紋等の多岐にわたるユーザーの固有の生体情報識別パターンのうちの任意のものを識別するように構成された多岐にわたる生体情報リーダのうちの任意のものとすることができる。充電ポート１１３は、内部電源を充電または再充電するように構成することができる。例えば、充電ポート１１３は、限定ではないが、ソーラーパネル、ＵＳＢ−Ｃポート、ＡＣおよび／またはＤＣ充電ポート等を含むことができる。
【００３３】
固定リング１３０は、本体１１０の第２の端部１０２に取り付けるように構成することができる。固定リング１３０は、ロック位置にあるときに、ロック通路１３２を取り囲む。ロック装置１００は検出センサ１３４を更に備え、検出センサ１３４は、本体１１０の第２の端部１０２において、ロック通路１３２によって取り囲まれたエリア内に位置決めすることができる。
【００３４】
図１に示すように、本体１１０は、第１の端部１０１および第２の端部１０２を有する成形された構造とすることができる。本体１１０は、動作するロック機構（例えば、固定リング１３０）および締め付け頭部１２０を接続し、ユーザーがアクセス可能なインターフェース構造（例えば、生体情報入力部１１２および充電ポート１１３）を保護し、収容するように機能する。更に、本体１１０は、締め付け頭部１２０を介した非垂直外部支柱へのロック装置１００の取り付けを可能にするように構成することができ、個人輸送装置に取り付けられている間にロック装置１００をより容易に輸送することを可能にするように、固定リング１３０と締め付け頭部１２０との間の角度を調整するように構成することもできる。
【００３５】
図２は、固定リング１３０および締め付け頭部１２０を示すロック装置１００の底面図を示す。示すように、締め付け頭部１２０は、ヒンジ１１５を介して本体１１０に接続することができ、ヒンジ１１５は、ヒンジ凹部１１８内に位置決めすることができる。当業者は、ヒンジ１１５の特定のサイズ、形状および構成に依拠して、ヒンジ凹部１１８を多岐にわたる異なる方式のうちの任意のもので構成することができることを理解するであろう。
【００３６】
ロック装置１００の展開図を示す図３を参照すると、本体１１０は、内体１５０を取り囲むように構成された外殻とすることができることを見て取ることができる。
【００３７】
例示的な実施形態において、固定リング１３０は、２つの部分、すなわち、第１のアーム１３５および第２のアーム１３６から構成することができる。換言すれば、動作機構は、第１のアーム１３５および第２のアーム１３６と、第１のアーム１３５および第２のアーム１３６を閉じる／ロックするためのロック機構１４０とを有する成形された構造（例えば、円形、卵形等）からなることができる。ロック機構１４０は、当業者に既知の多岐にわたるロック機構のうちの任意のもの（例えば、モーター、ばね、ラチェット等）で構成することができる。例示的な実施形態において、ロック機構１４０は、第１のアーム１３５に当接するように第２のアーム１３６を可逆的に動かすように構成することができる。動作機構の成形された構造は、好ましくは、丸みのある構造から構成されるが、他の丸くない構造が固定リング１３０のために利用されてもよい。例示的な実施形態において、第１のアーム１３５は、当業者に既知の多岐にわたる手段（例えば、溶接、結合、接着等）のうちの任意のものを介して内体１５０に固定的に装着することができる。別の例示的な実施形態において、第１のアーム１３５は、単体構造を介して内体１５０と一体形成することができる。別の例示的な実施形態において、動作機構は、剛体のまたは移動可能な第１のアームと、ロック機構１４０と相互作用するように構成された移動可能な第２のアームとからなることができる。ロック機構１４０は、第２のアームを第１のアームに当接するように動かし、それによって装置を支柱にロックすることによって、ロック装置１００を外部支柱に固定するように機能する。動作機構は本体に接続され、動作機構のロックの結果として、装置が外部支柱に固定される。動作機構は、生体情報リーダ１１２および検出センサ１３４によって有効化することができる制御ユニット１４４によって動作することができ、制御ユニット１４４は、装着支柱またはポストの近接が検知されると、固定リング１３０を自動的に閉じるように構成することができる。制御ユニット１４４を動作させるための命令は、メモリ１４６に記憶することができ、ネットワークインターフェースモジュール１４８を介して電子装置またはネットワークと通信することができる。ロック機構１４０、制御ユニット１４４、メモリ１４６およびネットワークインターフェースモジュール１４８は、当業者によく知られたバス（図示せず）を介して通信することができる。
【００３８】
１つまたは複数のユーザーがアクセス可能なインターフェースは、内部の凹部１５２内に存在するように構成することができる。これらは、例えば、生体情報リーダ１１２および充電ポート１１３を含むことができる。生体情報リーダ１１２は、個々の独自の生体情報署名（例えば、指紋、掌紋、網膜紋、声紋等）に基づいてユーザーを識別する機能を有する電子装置または他の装置と、動作機構（例えば、固定リング１３０）と通信する制御ユニットと、電源１４２と、例えば充電ポート１１３等の電源を再充電する手段とを備えることができる。制御ユニットおよび他の電子機器（例えば、ワイヤレス送信機、Ｂｌｕｅｔｏｏｔｈ通信装置、セルラー送信機、ＧＰＳ追跡装置等）を内体１５０内に収容することができる。生体情報リーダ１１２および充電ポート１１３は、内体１５０の内部の凹部１５２内に着座することができる。これらのユーザーがアクセス可能なインターフェースは、内体１５０内に部分的に包むことができ、本体１１０によって更に包むことができる。生体情報リーダ１１２は、生体情報リーダ１１２がユーザーの独自の署名を検出するときに、動作機構が有効化され、固定リング１３０が開くように、制御ユニットを介してロック機構１４０に動作可能に連結することができる。
【００３９】
ユーザーがアクセス可能なインターフェース（例えば、１１２、１１３）は本体１１０内に収容することができ、生体情報リーダ１１２、制御ユニット、電源１４２、および充電ポート１１３からなることができる。生体情報リーダ１１２は、例えば、ユーザーの独自の指紋を検出し、制御ユニットを通じて固定リング１３０をトリガーする指紋スキャナーとすることができる。制御ユニットは電子装置であり、好ましくは、ユーザーの指紋の記録を含むマイクロコントローラーまたはマイクロプロセッサである。制御ユニットは、記憶されたデータに対し生体情報リーダ１１２からの各入力をチェックし、入力が記憶されたデータとマッチする場合、制御ユニットは固定リング１３０が開くことをトリガーする。生体情報リーダ１１２および制御ユニットは、１つまたは複数の再充電可能な電池を含む電源１４２によって電源供給される。これらの電池は、例えば、ロック装置１００の本体１１０内に収容されるソーラーパネルとすることができる充電ポート１１３によって再充電される。制御ユニットは、ロック機構１４０との有線接続を通じて固定リング１３０と通信する。
【００４０】
生体情報リーダ１１２は、任意の生体情報リーダ、血管パターンリーダ、網膜スキャナー、ＤＮＡリーダ等とすることもできる。生体情報リーダ１１２は、ＲＦＩＤ、Ｂｌｕｅｔｏｏｔｈまたは他のワイヤレス通信装置と交換するかまたは組み合わせることができる。制御ユニットは、特定の生体認証装置もしくはワイヤレス通信装置に組み込まれてもよく、または別個のユニットであってもよい。制御ユニットは、制御ユニットの必要なタスクを実行する任意の電子または非電子装置とすることができる。充電ポート１１３は、電源１４２の再充電のための電力を提供することができる、有線接続、運動発生器または他の装置のための電力ポートとすることができる。生体情報リーダ１１２は、充電ポート１１３および／または電源１４２から直接電力供給されてもよく、充電ポート１１３および／または電源１４２は含まれても含まれなくてもよい。制御ユニットは、固定リング１３０とのワイヤレス接続を有することができる。
【００４１】
本明細書に記載の様々な実施形態によれば、「ワイヤレス通信装置」という用語は、本開示の様々な実施形態に関連付けられた手順を実行する（例えば、本明細書に記載のロック装置と通信する、ＧＰＳを介してロック装置を追跡する、ロック装置から改ざんアラートを受信する、ロック装置ユーザーを識別する、および／またはユーザーを識別するＢｌｕｅｔｏｏｔｈ通信に基づいてロック装置をロックもしくはロック解除する）ことが可能な１つまたは複数の電子装置を表すことができる。様々な実施態様によれば、これらの電子装置のうちの任意のものは、携帯電話またはスマートフォン、タブレットコンピューター、ラップトップコンピューター、ノートブックコンピューター、パーソナルコンピューター、ネットブックコンピューター、メディアプレーヤー装置、電子ブック装置、ＭｉＦｉ（登録商標）装置、ウェアラブルコンピューティング装置、および、ワイヤレス通信機能を有する任意の他のタイプのアクティブまたはパッシブ電子装置（例えば、キーチェーンフォブ）に関することができ、ワイヤレス通信機能は、ワイヤレス広域ネットワーク（ＷＷＡＮ）、ワイヤレスメトロエリアネットワーク（ＷＭＡＮ）、ワイヤレスローカルエリアネットワーク（ＷＬＡＮ）、ワイヤレスパーソナルエリアネットワーク（ＷＰＡＮ）、近距離通信（ＮＦＣ）、セルラーワイヤレスネットワーク、第４世代（４Ｇ）ロングタームエボリューション（ＬＴＥ）、ＬＴＥアドバンスト（ＬＴＥ−Ａ）および／または５Ｇもしくは他の現在のもしくは未来に開発される進化型セルラーワイヤレスネットワークにおける通信のために用いられるような１つまたは複数のワイヤレス通信プロトコルを介した通信を含むことができる。
【００４２】
いくつかの実施形態では、ワイヤレス通信装置は、ワイヤレス通信システムの一部として（例えば、ＷＬＡＮ、ＷＰＡＮおよび／またはアドホックワイヤレスネットワークの一部として）動作することもできる。例えば、ＷＬＡＮ技術は、Ｗｉ−Ｆｉ（またはより一般的にはＷＬＡＮ）ワイヤレスサブシステムまたは無線を含むことができ、Ｗｉ−Ｆｉ無線は、電気電子技術者協会（ＩＥＥＥ）８０２．１１ａ、ＩＥＥＥ８０２．１１ｂ、ＩＥＥＥ８０２．１１ｇ、ＩＥＥＥ８０２．１１−２００７、ＩＥＥＥ８０２．１１ｎ、ＩＥＥＥ８０２．１１−２０１２、ＩＥＥＥ８０２．１１ａｃ、または他の現在のもしくは未来に開発されるＩＥＥＥ８０２．１１技術のうちの１つまたは複数等のＩＥＥＥ８０２．１１技術を実施することができる。いくつかの実施形態では、ＷＰＡＮ技術は、Ｂｌｕｅｔｏｏｔｈワイヤレス通信サブシステムまたは無線を含むことができ、Ｂｌｕｅｔｏｏｔｈ無線は、現在のまたは未来に開発されるＢｌｕｅｔｏｏｔｈ特定利益集団（ＳＩＧ）技術に従ってＢｌｕｅｔｏｏｔｈ通信プロトコルの１つまたは複数のバージョンを実施することができる。
【００４３】
ロック装置内のＢｌｕｅｔｏｏｔｈ装置／モジュールは、ユーザー装置（例えば、スマートフォン、スマートタブレット、ラップトップ等）と通信して、ユーザーの装置（例えば、親指の指紋認識装置、顔認識装置等）に関連付けられた生体情報入力を介してユーザーのアイデンティティを確認することができることが本開示の範囲内で予期される。したがって、ユーザーに関連付けられることが知られた信頼できる装置によるユーザーのアイデンティティの認識を、ロック装置とインターフェースする代替的な方法として用いることができる。このようにして、ユーザーは、例えばスマートフォン等の装置への入力によって、ロック装置をロック解除することができるか、またはロック装置をロックすることができる。
【００４４】
締め付け頭部（締め付け部）１２０は、締め付け通路１２２および締め付け接続端１２４を有する成形された構造である。締め付け部は、好ましくは、中空の円筒構造から構成されるが、様々な他の丸くない構造が利用されてもよい。締め付け部の機能は、ロック装置１００を半永久的にユーザーの個人輸送装置に取り付けることである。締め付け頭部１２０の締め付け接続端１２４は、ヒンジ１１５を介して本体１１０に接続することができ、それによって、締め付け部の半永久固定の結果として、ロック装置１００がユーザーの個人輸送装置に固定される。例えば、締め付け接続端１２４は、ヒンジ１１５の嵌合端１１７と嵌合するように構成することができ、嵌合端１１７は、ひいては、ヒンジ装着台１１９を介して内体１５０にヒンジ接続により装着することができる。例示的な実施形態において、内体１５０は、嵌合端１１７が固定リング１３０に対し垂直な軸において回転することを可能にするようにヒンジ１１５の第１のヒンジ端１１１および第２のヒンジ端１１６を受けるように構成される２つの対向するヒンジ装着台１１９を含むことができる。
【００４５】
締め付け頭部１２０は、好ましくはプラスチックシースを有する金属から作製された概ね円筒形の構造である。締め付け頭部１２０は、ロック装置１００をユーザーの個人輸送装置に半永久的に取り付ける手段を提供する。締め付け通路１２２の内面は、車両に対しより良好な取り付けを提供するように把持面でライニングすることができる。
【００４６】
締め付け頭部１２０は、ユーザーの個人輸送装置上の非円筒形構造への取り付けのために非円筒形とすることができる。締め付け頭部１２０は、金属（シースなし）または別の非金属材料のみから構築されてもよい。締め付け頭部１２０は、完全に別個であるかまたはヒンジを介して接続された１つまたは複数の部分から構成することができる。これに関して、締め付け頭部１２０は、２つのピースがヒンジ１１５の正反対ではない地点で接続されるように非対称に分割されてもよい。締め付け頭部１２０は把持面でライニングされていてもされていなくてもよい。締め付け頭部１２０は、ユーザーの車両上の構造の周りを回転するためのベアリングまたは他の装置を含むことができる。
【００４７】
ロック装置１００は、本体１１０と、ロック装置１００の本体１１０の切断による盗難を防ぐための、頑丈な内部構造を提供するように金属から構築することができる内体１５０とで構成することができる。内体１５０は、電源１４２、充電ポート１１３、検出センサ１３４、固定リング１３０の一部、および生体情報リーダ１１２のためのハウジングを提供し、改ざんからの保護を提供するように構成することができる。ハウジング１１４は、好ましくは、装置の美観を改善し、本体１１０の切断に対する追加の防御層を提供することが目的の耐久性プラスチックから構築されたシースとすることができる。更に、ハウジング１１４は、封入された生体情報リーダ１１２、電源１４２、検出センサ１３４および関連する回路部、ならびに制御ユニットを保護するように、耐水性および／または防水であるように構成することができる。
【００４８】
ここで図４を参照すると、ヒンジ１１５は、多方向であり、ロック装置１００を任意の角度で構造に付着させることができ、かつ／またはユーザーの個人用車両上の任意の適切な構造に装着することができるように最大で半球体全体の動きを可能にするように構成することができる。図３および図４に示すように、ヒンジ１１５の嵌合端１１７は、締め付け接続端１２４内に位置決めされた嵌合ドック１２６と嵌合するように設計されたフランジを用いて構成することができる。この嵌合構成は、締め付け頭部１２０がヒンジ１１５の嵌合端１１７の周りを３６０°回転し、それによって本体１１０に対する締め付け頭部１２０の運動範囲を増大させることを可能にすることができる。ヒンジ１１５の嵌合端１１７を、例えば０°〜９０°、０°〜１８０°、０°〜３６０°等、またはその中の特定の部分範囲の嵌合端１１７の周りの締め付け頭部１２０の所望の回転範囲を提供するように構成することができることも本開示の範囲内で予期される。ヒンジ１１５が、本体１１０に対し半球体全体を通じて回転することができることが本開示の範囲内で予期される。当業者は、そのような回転範囲が、１つまたは複数の戻り止め等のリミッターを有する嵌合端１１７を構成することによって制限することができることを理解するであろう。他の実施形態において、ヒンジ１１５の嵌合端１１７は、嵌合端１１７のボール端を受けるように構成される嵌合ドック１２６とユニバーサルなジョイント状の結合を生成するように、フランジの代わりにボールを用いて構成することができる。ヒンジ１１５が、（例えば、金属、セラミック、硬質プラスチック、それらの組み合わせ等の）切断による盗難を防止するために、多岐にわたる耐久性材料から構築することができることが本開示の範囲内で予期される。本体１１０は、２つ以上のヒンジ１１５を含んでもよく、ヒンジ１１５を全く含まなくてもよい。
【００４９】
例示的な実施形態において、本体１１０は、ハウジング１１４および内体１５０を合わせたものではなく、内体１５０単体から構成されてもよい。内体１５０は金属から構成することができるが、内体１５０が他の非金属材料から構築することもできることが本開示の範囲内で予期される。同様に、ハウジング１１４は他の非プラスチック材料から構築することもできる。ハウジング１１４は、内体１５０の全体、または装置上に存在するときはその一部のみを取り囲むことができる。内体１５０に収容される要素は、第１の端部１０１または第２の端部１０２に、合わせてまたは別個に収容することができる。本体１１０の第２の端部１０２は、内体１５０および／またはハウジング１１４の拡張部としてロック機構１４０の第１のアーム１３５を含むことができる。
【００５０】
ロック機構１４０は、好ましくは、本体１１０によって部分的に取り囲まれ、第１のアーム１３５、第２のアーム１３６、閉鎖／ロック機構１４０および検出センサ１３４から構成される。ロック機構１４０のアーム１３５および１３６は、切断による盗難を防ぐために金属から構築することができ、概ね半円形の構造とすることができる。ロック機構１４０の第１のアーム１３５は剛性とすることができ、本体１１０の内体１５０および／またはハウジング１１４の延長部として形成することができる。第２のアーム１３６は移動可能とすることができる。
【００５１】
図５および図６は、それぞれ閉位置および開位置にあるロック装置１００の例示的な実施形態を示す。図５および図６に示す実施形態において、第２のアーム１３６は、第２のアーム１３６が螺旋状に出て第１のアーム１３５と接続するか当接することを可能にするように本体１１０内のトラック内に位置決めすることができる。第２のアーム１３６は、閉鎖／ロック機構１４０によって開位置と閉位置との間を動かすことができ、閉鎖／ロック機構１４０は、第２のアーム１３６の動きを駆動し、アーム１３６を延びた（ロックが閉じた）位置と、引き込まれた（ロックが開いた）位置においてロックするためのモーターからなることができる。そして、閉鎖／ロック機構１４０は、（例えば、ロックを開くための）生体情報リーダ１１２または（例えば、ロックを閉じるための）検出センサ１３４からの通信によって駆動することができ、電源１４２によって電力供給することができる。検出センサ１３４は、電源１４２によって電力供給される近接センサとすることができ、装置が外部支柱（例えば、バイクラック、ロックポスト、レール、フェンス等）の近くにあるときに検出し、モーターが第２のアーム１３６を閉じ、それによってロック装置１００を支柱にロックすることをトリガーする。ロック装置１００のロック端１３３は、固定リング１３０の第１のアーム１３５および／または第２のアーム１３６の端部においてロックされる。
【００５２】
固定リング１３０の第１のアーム１３５および第２のアーム１３６は、アームの頑丈な金属コアに加えて、プラスチックまたは非プラスチックのシースを有することができる。アームは、他の非金属材料から構築することもでき、アームの内部湾曲に把持機構（例えば、クルーズ（cruise）、突起、リブ等）を含むことができる。固定リング１３０のアームは、半円形でない構造を有することができる。固定リング１３０の第１のアーム１３５は、図５および図６に示すように閉鎖／ロック機構１４０によって移動可能であり、操作することができる。図７および図８に示す別の例示的な実施形態では、第２のアーム１３６および／または第１のアーム１３５は、本体１１０内のトラックに乗るのではなく、揺れ運動で動くことができる。閉鎖／ロック機構１４０は、モーターではなく、またはモーターに加えて、ばね、ラッチ、ラチェット等からなることができる。ロック機構１４０は、ラッチ、ピン、ラチェット、モーター等とすることができる。検出センサ１３４は、限定ではないが、超音波センサ、光センサ、距離センサ、タッチセンサ等のセンサからなることができる。閉鎖／ロック機構１４０および検出センサ１３４は、充電ポート１１３および／または電源１４２から直接電力供給することができる。
【００５３】
図９は、本開示の例示的な実施形態による、自転車に装着されたロック装置の写真である。
【００５４】
図１０は、本開示の例示的な実施形態による、キックスケーターを収納ラックにロックするのに用いられるロック装置の写真である。
【００５５】
本明細書に提供される範囲は、範囲内の全ての値の省略表現であると理解される。例えば、１〜５０の範囲は、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９または５０、および例えば１．１、１．２、１．３、１．４、１．５、１．６、１．７、１．８、および１．９等の上述した整数間の全ての介在する１０進値からなる群からの任意の数、数の組み合わせ、または部分範囲を含むように理解される。部分範囲については、範囲のどちらか一方の端点から伸びる「入れ子状部分範囲（nested sub-range）」が、特に考えられる。例えば、１〜５０という例示的範囲の入れ子状部分範囲は、一方向では１〜１０、１〜２０、１〜３０、および１〜４０を含み、他方向では５０〜４０、５０〜３０、５０〜２０、および５０〜１０を含むことができる。
【００５６】
上記の説明は、ロック装置１００の特定の実施形態を対象とした。しかしながら、説明した実施形態に対し他の変形および変更を行い、それらの利点のうちのいくつかまたは全てを達成することができることが理解されよう。例えば、本明細書に記載の構成要素および／または要素は、データまたはセルラー通信ネットワークと通信する少なくとも１つのデータまたはセルラーネットワークインターフェース、少なくとも１つのネットワークインターフェースに結合されたプロセッサ、およびプロセッサによって実行可能なプログラム命令を記憶するように構成されたメモリを備えるロック装置として実施することができることが明示的に予期される。更に、本明細書に記載の構成要素および／または要素は、コントローラー、ＣＰＵ、コンピューター、ハードウェア、ファームウェアまたはそれらの組み合わせにおいて実行されるプログラム命令を有する有形（非一時的）コンピューター可読媒体（例えば、ＲＯＭ、ＲＡＭ、コンパクトディスク（ＣＤ）−ＲＯＭ、磁気テープ、フロッピーディスク、フラッシュドライブ、スマートカードおよび光データストレージデバイス等）上に記憶されたソフトウェアとして実施することができることが明確に予期される。したがって、この説明は、例としてのみ解釈され、他の形で本明細書における実施形態の範囲を限定するものと解釈されない。このため、添付の特許請求の範囲の目的は、本明細書における実施形態の真の趣旨および範囲内に入る全ての変形および変更をカバーすることである。
【００５７】
コンピューターシステム（またはデジタル装置）を用いて、結果を受信、送信、表示および／または記憶し、本明細書に記載のロック機構を操作することができる。コンピューターシステムは、メディア（例えば、ソフトウェア）および／またはネットワークポートから（例えば、インターネット、Ｗｉ−Ｆｉ、Ｂｌｕｅｔｏｏｔｈ等から）命令を読み取ることができる論理装置として理解することができ、これは任意選択で、データポートを介して固定メディアを有するサーバーに接続することができる。コンピューターシステムは、ＣＰＵ、ディスクドライブ、キーボードおよび／またはマウス等の入力装置、ディスプレイ（例えば、ＬＣＤ）のうちの１つ以上を含むことができる。命令またはレポートの送信等のデータ通信は、上述した通信装置を通じて、ローカルまたはリモートロケーションにあるサーバーに対し達成することができる。通信装置は、任意のデータ送信および／または受信手段（例えば、インターネットポート、Ｗｉ−Ｆｉ、Ｂｌｕｅｔｏｏｔｈ等）を含むことができる。例えば、通信装置は、ネットワーク接続、ワイヤレス接続、セルラーネットワークまたはインターネット接続とすることができる。本開示に関するデータは、受信者による受信および／またはレビューのためにそのようなネットワークまたは接続（または限定ではないがプリントアウト等の物理的報告のメール送信を含む、情報を送信するための任意の他の適切な手段）を介して送信することができることが考案される。受信者は、個人または電子システムとすることができるがそれに限定されない。
【００５８】
いくつかの実施形態では、コンピューターシステムは１つまたは複数のプロセッサを含むことができる。プロセッサは、コンピューターシステムの１つまたは複数のコントローラー、計算ユニットおよび／または他のユニットに関連付けることができるか、または所望に応じてファームウェアで実施することができる。ソフトウェアで実施される場合、ルーチンは、ＲＡＭ、ＲＯＭ、フラッシュメモリ、磁気ディスク、レーザーディスク、または他の適切なストレージ媒体等の任意のコンピューター可読メモリに記憶することができる。同様に、このソフトウェアは、例えば、電話線、インターネット、ワイヤレス接続等の通信チャネルを通じて、またはコンピューター可読ディスク、フラッシュドライブ等の搬送可能な媒体を介して、を含む任意の既知の送達方法を介してコンピューティング装置に送達することができる。様々なステップは、様々なブロック、動作、ツール、モジュールおよび技法として実施することができ、これはひいては、ハードウェア、ファームウェア、ソフトウェア、またはハードウェア、ファームウェアおよび／またはソフトウェアの任意の組み合わせで実施することができる。ハードウェアにおいて実施されるとき、ブロック、動作、技法等のうちのいくつかまたは全てを、例えばカスタム集積回路（ＩＣ）、特定用途向け集積回路（ＡＳＩＣ）、フィールドプログラマブル論理アレイ（ＦＰＧＡ）、プログラマブル論理アレイ（ＰＬＡ）等において実施することができる。
【００５９】
コンピューター実行可能コードを含むことができる機械可読媒体は、限定ではないが有形ストレージ媒体、搬送波媒体または物理伝送媒体を含む多くの形態をとることができる。不揮発性ストレージ媒体は、例えば、図面に示すデータベース等を実施するのに用いることができるような、任意のコンピューター等におけるストレージ装置のうちの任意のもの等の、光ディスクまたは磁気ディスク等を含む。揮発性ストレージ媒体は、そのようなコンピュータープラットフォームのメインメモリ等の動的メモリを含む。有形伝送媒体は、コンピューターシステム内のバスを含む、同軸ケーブル、銅線および光ファイバーを含む。搬送波伝送媒体は、無線周波数（ＲＦ）および赤外線（ＩＲ）データ通信中に生成されるもの等の電気信号もしくは電磁信号、または音響波もしくは光波の形態をとることができる。したがって、コンピューター可読媒体の共通形態は、例えば、フロッピーディスク、フレキシブルディスク、ハードディスク、磁気テープ、任意の他の磁気媒体、ＣＤ−ＲＯＭ、ＤＶＤもしくはＤＶＤ−ＲＯＭ、任意の他の光媒体、パンチカード紙テープ、孔のパターンを有する任意の他の物理的ストレージ媒体、ＲＡＭ、ＲＯＭ、ＰＲＯＭおよびＥＰＲＯＭ、フラッシュＥＰＲＯＭ、任意の他のメモリチップもしくはカートリッジ、搬送波輸送データもしくは命令、そのような搬送波を輸送するケーブルもしくはリンク、またはコンピューターがプログラミングコードおよび／もしくはデータを読み出すことができる任意の他の媒体を含む。これらの形態のコンピューター可読媒体の多くは、実行のために１つまたは複数の命令の１つまたは複数のシーケンスをプロセッサに搬送することに関与することができる。
【００６０】
対象のコンピューター実行可能コードは、ＰＣ、またはスマートフォンもしくはタブレット等のモバイル装置を含む、プロセッサを備えることができる任意の適切な装置において実行することができる。コンピューター回路部は、本明細書に開示されるロック装置の本体内に配置することができ、マイクロプロセッサ、メモリ、インターフェース回路等の多数の集積回路チップを含むことができる。キーボード、マウス、またはタッチセンサ式スクリーン等の入力装置が、任意選択でユーザーからの入力を提供する。コンピューターは、例えばＧＵＩにおけるパラメーターフィールドのセットへのユーザー入力の形態で、または例えば多岐にわたる異なる特定の動作のために予めプログラムされた、予めプログラムされた命令の形態で、ユーザー命令を受信するための適切なソフトウェアを含むことができる。
【００６１】
様々なコンピューター可読媒体を含む他のプロセッサおよびメモリタイプを用いて、本明細書に記載の技法に関するプログラム命令を記憶および実行するために使用することができることも当業者には明らかであろう。また、説明は様々なプロセスを示すが、様々なプロセスを、（例えば、類似のプロセスの機能に従って）本明細書における技法に従って動作するように構成されたモジュールとして実現することができることが明確に予期される。更に、プロセスは別個に説明されたが、当業者は、プロセスを他のプロセス内のルーチンまたはモジュールとすることができることを理解するであろう。
【００６２】
［参照による援用］
本明細書中で引用または参照する全ての文書、および、本明細書中で引用する文書中に引用または参照されている全ての文書は、本明細書中で言及する製品に対する、または本明細書中での参照により援用される文書中で言及されている製品に対するメーカーの指示事項、説明文、製品仕様および製品シートと共に、参照により本明細書に援用され、本開示の実施に使用することができる。
【００６３】
［等価物］
本明細書に記載の詳細な例および実施形態は、例示の目的のみで例として与えられたものであり、いかなる形においても本開示に対する限定とみなされないことを理解されたい。この観点における様々な変更または変形が当業者に示唆され、本出願の趣旨および範囲に含まれ、添付の特許請求の範囲内とみなされる。本開示のシステム、方法およびプロセスに関連付けられた更なる有利な特徴および機能は添付の特許請求の範囲から明らかとなろう。更に、当業者は、所定の実験のみを用いて、本明細書に記載の開示の特定の実施形態に対する多くの等価物を認識するか、または確認することができるであろう。そのような等価物は、添付の特許請求の範囲に包含されるように意図される。
【符号の説明】
【００６４】
［要素］
１００  ロック装置
１０１  第１の端部
１０２  第２の端部
１０９  外部の凹部
１１０  本体
１１１  第１のヒンジ端
１１２  生体情報リーダ
１１３  充電ポート
１１４  ハウジング
１１５  ヒンジ
１１６  第２のヒンジ端
１１７  嵌合端
１１８  ヒンジ凹部
１１９  ヒンジ装着台
１２０  締め付け頭部
１２２  締め付け通路
１２４  締め付け接続端
１２６  嵌合ドック
１３０  固定リング
１３１  装着端
１３２  ロック通路
１３３  ロック端
１３４  検出センサ
１３５  固定アーム
１３６  ロックアーム
１４０  ロック機構
１４２  電源
１４４  制御ユニット
１４６  メモリ
１４８  ネットワークインターフェースモジュール
１５０  内体
１５２  内部の凹部
【図１】
2021522427.tif 000003
【図２】
2021522427.tif 000004
【図３】
2021522427.tif 000005
【図４】
2021522427.tif 000006
【図５】
2021522427.tif 000007
【図６】
2021522427.tif 000008
【図７】
2021522427.tif 000009
【図８】
2021522427.tif 000010
【図９】
2021522427.tif 000011
【図１０】
2021522427.tif 000012
【国際調査報告】
2021522427.tif 000013